(57)【特許請求の範囲】
【請求項１】
パラメーター設定システムに適用されるパラメーター設定方法であって、
パラメーター設定インターフェースの２次元画面を、前記パラメーター設定システムの表示ユニット上に表示させるステップと、
原点で交わるｘ軸、ｙ軸及びｚ軸を定義されると共に、前記ｘ軸と前記ｚ軸の間に表示される複数個のオブジェクトイメージの回路基板イメージを含む、前記パラメーター設定インターフェースの３次元アイコンを、前記２次元画面上に表示させるステップと、
複数個の電子素子イメージを、前記回路基板イメージ上に表示させ、前記複数個の電子素子イメージを前記ｘ軸と前記ｚ軸の間に分布させると共に前記ｙ軸に沿って前記回路基板イメージ上に重ね合わせるステップと、
前記複数個の電子素子イメージのうちの１つを選ぶステップと、
前記複数個の電子素子イメージ及び基本入力／出力システム（ＢＩＯＳ）の設定メニューにそれぞれ連結される、パラメーター設定メニューを前記パラメーター設定インターフェースの前記２次元画面上に表示させるステップと、
前記パラメーター設定メニューを通して電源制御プログラムや前記基本入力／出力システム（ＢＩＯＳ）のパラメーター値を調整するステップと、を含む、パラメーター設定方法。
【請求項２】
前記複数個の電子素子イメージのうちの１つを選ぶステップは、
前記パラメーター設定インターフェースのカーソルを前記複数個の電子素子イメージ上へ移動させるステップと、
前記カーソルによって、前記複数個の電子素子イメージのうちの１つを選ぶステップと、
を含むことを特徴とする、請求項１に記載のパラメーター設定方法。
【請求項３】
前記ｘ軸、前記ｙ軸や前記ｚ軸を軸心として、前記２次元画面上において前記３次元アイコンを回転させるステップと、をさらに含むことを特徴とする、請求項１に記載のパラメーター設定方法。
【請求項４】
前記３次元アイコンを前記２次元画面の第１レイヤー上に表示し、前記パラメーター設定メニューを前記２次元画面の第２レイヤー上に表示し、且つ、前記ＢＩＯＳの前記設定メニューが電源管理設定メニューであり、前記パラメーター設定メニューは前記電源制御プログラムの電圧パラメーター設定メニュー、クロックパラメーター設定メニュー及び位相パラメーター設定メニューのうちの１つに連結され、前記複数個の電子素子イメージのうちの１つが選ばれるとき、前記第２レイヤーを前記第１レイヤー上に重ね合わせることを特徴とする、請求項１に記載のパラメーター設定方法。
【請求項５】
前記パラメーター設定メニューを前記第２レイヤー上に表示させるステップは、さらに前記複数個の電子素子イメージのうち、選択される前記電子素子イメージを前記第２レイヤー上に表示させるステップを含むことを特徴とする、請求項４に記載のパラメーター設定方法。
【請求項６】
前記３次元アイコンを回転させ、前記３次元アイコンのサイズを縮小させるステップと、
２次元形式で選択された前記電子素子イメージを前記第２レイヤーに表示させるステップと、
を更に含むことを特徴とする、請求項５に記載のパラメーター設定方法。
【請求項７】
アイコン戻りを、前記第２レイヤー上に表示させるステップと、
前記アイコン戻りを選択するステップと、
前記第１レイヤーを前記第２レイヤー上に重ね合わせ、前記３次元アイコンを前記第１レイヤー上に表示させるステップと、
を更に含むことを特徴とする、請求項４に記載のパラメーター設定方法。
【請求項８】
前記複数個のガイドアイコンはそれぞれ前記ＢＩＯＳの前記複数個の設定メニューに連結される複数個のガイドアイコンを前記２次元画面上に表示させるステップと、
前記複数個のガイドアイコンのうちの１つを選ぶステップと、
前記パラメーター設定システムの前記基本入力／出力システム（ＢＩＯＳ）に連結されると共に、選択される前記ガイドアイコンに対応する機能メニューを前記２次元画面上に表示させるステップと、
前記機能メニューを通して前記ガイドアイコンとは連結される前記設定メニューのパラメーター値を調整させるステップと、
を含むことを特徴とする、請求項１に記載のパラメーター設定方法。
【請求項９】
前記３次元アイコンを、前記２次元画面の第１レイヤー上に表示し、前記複数個のガイドアイコンを前記２次元画面の第２レイヤー上に表示させると共に前記第１レイヤーの側辺に重ね合わせることを特徴とする、請求項８に記載のパラメーター設定方法。
【請求項１０】
前記これらのガイドアイコンのうちの１つが選択された後、前記第２レイヤーは前記第１レイヤーを遮蔽し、前記機能メニューは前記第２レイヤー上に配置されることを特徴とする、請求項９に記載のパラメーター設定方法。
【請求項１１】
戻しアイコンを前記２次元画面上に表示させるステップと、
前記戻しアイコンを選択するステップと、
前記機能メニューを隠し、前記３次元アイコンを前記２次元画面上に表示させるステップと、
を更に含むことを特徴とする、請求項８に記載のパラメーター設定方法。
【請求項１２】
パラメーター設定インターフェースを表示するための表示ユニットと、
複数個の設定メニューからなる基本入力／出力システム（ＢＩＯＳ）及び前記パラメーター設定インターフェースを保存するための保存ユニットと、
前記表示ユニット及び前記保存ユニットに電気的に接続され、前記ＢＩＯＳを実行すると共に前記パラメーター設定インターフェ−スを呼び出し、且つ前記パラメーター設定インターフェースを前記表示ユニットに表示させる処理ユニットと、を含むパラメーター設定システムであって、
前記パラメーター設定インターフェースは
２次元画面と、
前記２次元画面上に配置されると共に原点で交わるｘ軸、ｙ軸及びｚ軸を定義し、複数個のオブジェクトイメージを有し、前記複数個のオブジェクトイメージは、前記ｘ軸と前記ｚ軸との間に配置される回路基板イメージ及び前記ＢＩＯＳの複数個の設定メニューに連結される複数個の電子素子イメージを含み、前記複数個の電子素子イメージは、前記ｘ軸と前記ｚ軸との間に分布されると共に前記ｙ軸に沿って前記回路基板イメージ上に重ね合わせられる３次元アイコンと、
それぞれ前記複数個のオブジェクトイメージと対応し、前記ＢＩＯＳの前記複数個の設定メニューにそれぞれ連結される複数個のパラメーター設定メニューと、を含むことを特徴とする、パラメーター設定システム。
【請求項１３】
前記パラメーター設定インターフェースは、さらに前記２次元画面上に配置され、前記２次元画面上でスライドし、前記複数個のオブジェクトイメージ及び前記複数個のパラメーター設定メニューをクリックするために用いられるカーソルを含むことを特徴とする、請求項１２に記載のパラメーター設定システム。
【請求項１４】
前記３次元アイコンは、前記ｘ軸、前記ｙ軸や前記ｚ軸を軸心として前記２次元画面上で回転することを特徴とする、請求項１２に記載のパラメーター設定システム。
【請求項１５】
前記ＢＩＯＳの前記複数個の設定メニューは周波数、電圧制御メニュー、システムパラメーター設定メニュー、ＢＩＯＳのパラメーター設定メニュー、周辺装置のパラメーター設定メニュー及び電源管理設定メニューからなる群の少なくともの一つから選択されることを特徴とする、請求項１２に記載のパラメーター設定システム。
【請求項１６】
前記２次元画面は、第１レイヤー及び第２レイヤーを含み、前記３次元アイコンは前記第１レイヤー上に配置されると共に常態では前記第２レイヤー上に重ね合わせられ、前記複数個のパラメーター設定メニューは、前記電源管理設定メニューに連結される電圧パラメーター設定メニュー、クロックパラメーター設定メニュー及び位相パラメーター設定メニューを含み、前記複数個のオブジェクトイメージのうちの１つが選択されるとき、前記電圧パラメーター設定メニュー、前記クロックパラメーター設定メニューや前記位相パラメーター設定メニューは前記第２レイヤー上に配置されると共に前記第１レイヤー上に重ね合わせられることを特徴とする、請求項１５に記載のパラメーター設定システム。
【請求項１７】
選択された前記オブジェクトイメージは、同時に前記第２レイヤー上に表示されることを特徴とする、請求項１６に記載のパラメーター設定システム。
【請求項１８】
選択された前記オブジェクトイメージは、２次元形式で前記第２レイヤー上に表示されることを特徴とする、請求項１７に記載のパラメーター設定システム。
【請求項１９】
前記パラメーター設定インターフェースは、さらに前記第２レイヤー上に配置されると共に前記３次元アイコンに連結される戻しアイコンを含み、前記戻しアイコンが選択されるとき、前記３次元アイコンは前記第１レイヤー上に配置されると共に前記第２レイヤー上に重ね合わせられることを特徴とする、請求項１６に記載のパラメーター設定システム。
【請求項２０】
前記パラメーター設定インターフェースはさらに、それぞれ前記複数個の電子素子イメージに連結される複数個のメッセージ提示ウインドウを含み、前記複数個の電子素子イメージのうちの１つが選択されるとき、前記複数個のメッセージ提示ウインドウのうち、対応して選択される前記電子素子イメージの前記メッセージ提示ウインドウが前記２次元画面上に配置されることを特徴とする、請求項１２に記載のパラメーター設定システム。
【請求項２１】
前記パラメーター設定インターフェースは、複数個のガイドアイコン及び複数個の前記ガイドアイコンに連結される複数個の機能メニューを更に含み、前記複数個のガイドアイコンを前記２次元画面上に配置し、前記複数個のガイドアイコンのうちの１つが選択されるとき、前記複数個の機能メニューのうち、対応して選択される前記ガイドアイコンの前記機能メニューは、前記２次元画面上に配置されると共に前記３次元アイコンを遮蔽することを特徴とする、請求項１２に記載のパラメーター設定システム。
【請求項２２】
前記２次元画面は、第１レイヤーと第２レイヤーとを含み、前記３次元アイコンは前記第１レイヤーに配置され、前記複数個のガイドアイコンは前記第２レイヤーに配置され、前記第２レイヤーの一部は前記第１レイヤー上に重ね合わせられ、且つ、前記３次元アイコンと前記複数個のガイドアイコンは同時に前記２次元画面上に表示され、前記複数個のガイドアイコンのうちの１つが選択されるとき、前記複数個の機能メニューのうち、対応して選択される前記ガイドアイコンの前記機能メニューが前記第２レイヤー上に配置されると共に前記第１レイヤーを遮蔽することを特徴とする、請求項２１に記載のパラメーター設定システム。
【請求項２３】
前記パラメーター設定インターフェースは、前記第２レイヤーに配置されると共に前記３次元アイコンに連結される戻しアイコンを更に含み、前記戻しアイコンが選択されるとき、前記第２レイヤーの一部が前記第１レイヤー上に重ね合わせられると共に前記３次元アイコンを露出させることを特徴とする、請求項２２に記載のパラメーター設定システム。
【請求項２４】
前記ＢＩＯＳに電気的に接続される電源管理チップを更に含み、前記ＢＩＯＳは前記電源管理チップのパラメーター値を設定することを特徴とする、請求項１２に記載のパラメーター設定システム。
【請求項２５】
前記ＢＩＯＳ及び前記電源管理チップの間に電気的に接続される汎用入力/出力を更に含み、前記ＢＩＯＳは前記汎用入力/出力により設定信号を前記電源管理チップに伝送させることを特徴とする、請求項２４に記載のパラメーター設定システム。
【発明の詳細な説明】
【技術分野】
【０００１】
本発明は、パソコンシステムのパラメーター設定方法及びシステムに関する。より詳しくは、基本入力／出力システムのパラメーター設定システム及び方法に関する。
【背景技術】
【０００２】
一般のパソコンシステムには、通常、ウインドウ化された操作システムを搭載しており、ユーザーは操作システムを通して、応用プログラムの実行やシステムパラメーターの設定を行う。例えば、パソコンシステムの基本入出力システム（Basic Input／Output System、以下、ＢＩＯＳ）の設定システムが存在するが、ＢＩＯＳはパソコンシステムのメインコンピュータ内に組み込まれており、基本ハードウェアの作動を制御するために用いられる設定システムである。ユーザーが、パソコンシステムをスタートした時に選ぶディスクの順序を調整するか、またはパソコンシステム上に新しいハードウェアがインストールされた後、ＢＩＯＳから関連設定を行う。
【０００３】
さらに、ＢＩＯＳのパラメーター設定を行う時、通常はパソコンシステムの表示ユニット上に２次元（two-dimensional、2D）形式の設定ウインドウ（windows）、またはグラフィックユーザーシステム（Graphic User
Interface，GUI）などの設定システムを表示する。同時に、設定システム上にシステム基本パラメーター設定（standard CMOS setup）、ＢＩＯＳパラメーター設定（BIOS
features setup）、チップパラメーター設定（chipset features setup）、電源管理設定（power management setup）、ＢＩＯＳロードデフォルト値（load
BIOS defaults）、ロード設定プレセット値（load optimum settings）、ユーザーパスワード設定（user password）など設定項目を表示することにより、ユーザーはマウスやキーボードなど入力装置を通して、各メニューの間の切り替えや設定を行う。
【先行技術文献】
【特許文献】
【０００４】
【特許文献１】米国特許出願公開第２０１０／０２７５０００号明細書
【０００５】
しかしながら、現在のＢＩＯＳのウインドウ化設定システムやグラフィックシステムは、一般的にどれも２次元形式でパソコンシステムの表示ユニット上に表示される。システム上に表示される設定メニューの大部分は英語であり、細かい文字形式で表示され、時には沢山の専用名詞が含まれている。従って、常にユーザーはどのように設定及び操作をすれば良いか分からない、或いは操作前に各メニューの設定機能を調べる、または逐一各メニューをクリックして理解した後で初めて順調にパソコンシステムのパラメーター設定を行うことができるような状態である。
【０００６】
従って、パソコンシステム上に応用されるパラメーター設定システムはユーザーに直観的な操作環境を提供できず、つまり、ユーザーは設定システム上で各メニューの文字説明を見た後、設定する内容はパソコンシステム中のどの構成部材やファームウェアに対するものであるかを想像する必要があり、その後異なるメニューの選択を行うため、ユーザーはかなり多くの時間をかけてはじめて関連パラメーターの設定を完成することができる。さらに、パソコンシステムの初心者にとっては、複雑すぎる設定システムは初心者が学習する上で阻害になりえる。
【０００７】
そこで、本発明者は上記の欠点が改善可能と考え、鋭意検討を重ねた結果、合理的設計で上記の課題を効果的に改善する本考案の提案に到った。
【発明の概要】
【０００８】
本発明は、このような従来の問題に鑑みてなされたものである。上記課題解決のため、本発明は、周知のパラメーター設定システムのパソコンシステムが複雑すぎるため、ユーザーに直観的な操作環境を提供できず、ユーザーがかなり長い時間をかけてはじめて完成できる関連パラメーターの設定の問題を解決するパラメーター設定システム及び方法を提供することを主目的とする。
【課題を解決するための手段】
【０００９】
上述した課題を解決し、目的を達成するために、本発明に係るパラメーター設定方法及びシステムは、パラメーター設定システムに適用されるパラメーター設定方法である。本発明には、パラメーター設定インターフェ−スの２次元画面を前記パラメーター設定システムの表示ユニット上に表示させるステップと、前記パラメーター設定インターフェースの３次元アイコンを前記２次元画面上に表示させるステップと、前記３次元アイコンの複数個のオブジェクトイメージのうちの１つを選ぶステップと、前記パラメーター設定メニューが前記パラメーター設定システムの基本入力／出力システム（ＢＩＯＳ）の複数個の設定メニューのいずれかの一つに連結されるパラメーター設定メニューを前記２次元画面上に表示させるステップと、前記パラメーター設定メニューを通して前記電源制御プログラムや前記基本入出力システムのパラメーター値を調整させステップと、を含み、前記３次元アイコンは原点で交わるｘ軸、ｙ軸及びｚ軸を定義すると共に複数個のオブジェクトイメージを有することを特徴とする、パラメーター設定方法である。
【００１０】
また、本発明に係るパラメーター設定システムは、パラメーター設定インターフェースを表示するための表示ユニットと、複数個の設定メニューからなる基本入力／出力システム（ＢＩＯＳ）及び前記パラメーター設定インターフェースを保存するための保存ユニットと、前記表示ユニット及び前記保存ユニットに電気的に接続され、前記ＢＩＯＳを実行すると共に前記パラメーター設定インターフェースを呼び出し、且つ前記パラメーター設定インターフェースを前記表示ユニットに表示させる処理ユニットを含むパラメーター設定システムである。前記パラメーター設定インターフェースは２次元画面と、前記２次元画面上に配置されると共に原点で交わるｘ軸、ｙ軸及びｚ軸を定義し、複数個のオブジェクトイメージを有する３次元アイコンと、それぞれ前記複数個のオブジェクトイメージと対応し、前記ＢＩＯＳの前記複数個の設定メニューにそれぞれ連結される複数個のパラメーター設定メニューとを含み、前記これらのオブジェクトイメージのうちの１つが選ばれるとき、前記これらのパラメーター設定メニューより、対応して選ばれる前記オブジェクトイメージの前記パラメーター設定メニューを前記２次元画面上に配置すると共に前記３次元アイコン上に重ね合わせることを特徴とする、パラメーター設定システムである。
【発明の効果】
【００１１】
本発明によると、３次元アイコンを通してパラメーター設定メニューに対応するオブジェクトイメージが表示され、ユーザーは立体形式の視覚感覚によって、それぞれのオブジェクトイメージが代表するパラメーター設定メニューは何であるかを知ることができる。ユーザーはニーズに基づいて、直感的にオブジェクトイメージをクリックし、対応するパラメーター設定メニューを開き、電源管理パラメーターやＢＩＯＳパラメーターなどパソコンシステムの関連するパラメーター、例えば中央処理装置（central processing unit、CPU）の設定を行う。従って、ユーザーがパラメーター設定の操作をする上での利便性が増すだけでなく、ユーザーの作業効率を高めることができる。
【図面の簡単な説明】
【００１２】
【図１】本発明の第１実施形態によるパラメーター設定システムのブロック概略図である。
【図２】本発明の第１実施形態による使用状態を示す概略図である。
【図３】本発明の第１実施形態による使用状態を示す概略図である。
【図４】本発明の第１実施形態による使用状態を示す概略図である。
【図５】本発明の第１実施形態による使用状態を示す概略図である。
【図６】本発明の第１実施形態による使用状態を示す概略図である。
【図７】本発明の第１実施形態による使用状態を示す概略図である。
【図８】本発明の第１実施形態によるパラメーター設定方法のフローチャートである。
【図９】本発明の第２実施形態の使用状態を示す概略図である。
【図１０】本発明の第２実施形態の使用状態を示す概略図である。
【図１１】本発明の第２実施形態のパラメーター設定方法のフローチャートである。
【図１２】本発明の第３実施形態によるパラメーター設定システムのブロック概略図である。
【図１３】本発明の第３実施形態の使用状態を示す概略図である。
【図１４】本発明の第３実施形態の使用状態を示す概略図である。
【図１５】本発明の第３実施形態の使用状態を示す概略図である。
【図１６】本発明の第３実施形態の使用状態を示す概略図である。
【図１７】本発明の第３実施形態によるパラメーター設定方法のフローチャートである。
【図１８】異なる３次元オブジェクトイメージのデーターベースを有する本発明の第３実施形態の概略図である。
【発明を実施するための形態】
【００１３】
以下、図面を参照して本発明を実施するための形態について、詳細に説明する。なお、本発明は、以下に説明する実施形態に限定されるものではない。
［第１実施形態］
まず、本発明のパラメーター設定方法の第１実施形態について説明する。図１から図４に、本発明の第１実施形態の構成を示す。本実施形態のパラメーター設定システム２０はパソコン設備中に応用され、パソコン設備のＢＩＯＳのパラメーター設定を調整、設定するために用いられる。パラメーター設定システム２０は、表示ユニット２１０、保存ユニット２２０、処理ユニット２３０で構成される。なお、保存ユニット２２０は基本入力／出力システム（ＢＩＯＳ）３０と、パラメーター設定インターフェ−ス１０とからなり、表示ユニット２１０によってパラメーター設定インターフェ−ス１０の作業画面は表示され、ユーザーにパラメーター設定システム２０のパラメーター値の設定や調整を行わせる。これ以外に、パラメーター設定システム２０の表示ユニット２１０が配置されるパネルは、タッチパネルや液晶パネルであるが、これに限定されず、ユーザーに直接表示ユニット２１０のパネル上でクリック操作やマウスやキーボードなどの入力装置による操作を行わせる。また、処理ユニット２３０は前記表示ユニット２１０及び前記保存ユニット２２０に電気的に接続され、前記ＢＩＯＳ３０を実行すると共に前記パラメーター設定インターフェ−ス１０を実行し、且つ前記パラメーター設定インターフェ−ス１０を前記表示ユニット２１０に表示させる。
【００１４】
本実施形態のパラメーター設定インターフェ−ス１０は、２次元画面１１０、３次元アイコン１２０及び複数個のパラメーター設定メニュー１３０を含む。パラメーター設定インターフェ−ス１０は２次元画面１１０を通してパラメーター設定システム２０の表示ユニット２１０上に表示される。
【００１５】
３次元アイコン１２０は２次元画面１１０上に配置され、３次元アイコン１２０上には原点０で交わるｘ軸、ｙ軸及びｚ軸が定義される。これ以外に、３次元アイコン１２０は、複数個のオブジェクトアイコン１２１を含み、複数個のオブジェクトアイコン１２１はパソコン設備内部の電子装置の立体グラフィックやパソコン設備の立体グラフィックを構成する。例えば、複数個のオブジェクトイメージ１２１は電子部材のメインコンピュータの立体グラフィック、または内部に設置されるハードウェア、メインボード、ファン、電源供給装置及びコネクターなど、電子装置のパソコンケースの立体グラフィックなどを構成するが、これに限定されない。本実施形態では３次元アイコン１２０の複数個のオブジェクトイメージ１２１はメインボードの立体グラフィックを構成し、これを例として挙げて説明するが、これに限定されない。
【００１６】
３次元アイコン１２０の複数個のオブジェクトイメージ１２１は回路基板イメージ１２２及び複数個の電子素子イメージ１２３を含み、回路基板イメージ１２２は３次元アイコン１２０のｘ軸とｚ軸との間に配置される。つまり、ｘ軸とｚ軸とで構成される平面上に対応する。複数個の電子素子イメージ１２３は３次元アイコン１２０のｘ軸とｚ軸との間に分布され、ｙ軸の方向に沿って回路基板イメージ１２２上に重ね合わせられ、３次元アイコン１２０にパラメーター設定システム２０内部のメインボードの立体グラフィックを構成し、複数個の電子素子イメージ１２３はそれぞれメインボード上の各種電子部材、例えば、中央処理器、メモリー体スロット及び接続ポートなどに対応する。従って、パラメーター設定インターフェ−ス１０は、立体的なＵＥＦＩ（ユニファイド・エクステンシブル・ファームウェア・インターフェース）の形態により表示ユニット２１０を表示する。
【００１７】
パラメーター設定インターフェ−ス１０の複数個のパラメーター設定メニュー１３０はＢＩＯＳ３０の複数個の設定メニューに連結され、それぞれ３次元アイコン１２０の複数個のオブジェクトイメージ１２１に連結する。複数個のオブジェクトイメージ１２１のうちの１つが選択されるとき、選択されたオブジェクトイメージ１２１と対応するパラメーター設定メニュー１３０とは２次元画面１１０上に配置（表示）される。
【００１８】
図２、図５、図６及び図７によると、本実施形態のパラメーター設定インターフェース１０中において、２次元画面１１０上に、カーソル１４０、アイコン切替えや、少なくとも１つのメッセージ提示ウインドウを選択して配置できる。カーソル１４０は２次元画面１１０上に配置され、２次元画面１１０上でスライドでき、ユーザーに２次元画面１１０上に配置されるオブジェクトを選択及びクリックする。アイコン切替え１５０は２次元画面１１０上に配置されると共に３次元アイコンに連結され、３次元アイコン１２０を回転させるために用いられ、３次元アイコン１２０をｘ軸、ｙ軸や、ｚ軸を軸心として２次元画面１１０上で回転させ、２次元画面１１０上で３次元アイコン１２０の異なる視野を表示する。複数個のメッセージ提示ウインドウ１６０は、それぞれ３次元アイコン１２０の複数個のオブジェクトイメージ１２１に連結され、複数個のオブジェクトイメージ１２１のうちの１つが選択される時、選択的にオブジェクトイメージ１２１に対応するメッセージ提示ウインドウ１６０を２次元画面１１０上に配置（表示）するために用いられる。
【００１９】
上述の通り、本発明のパラメーター設定システムの表示環境がタッチパネルを具える表示ユニットである場合、ユーザーは直接タッチパネル上でオブジェクトの選択、クリック、回転の操作を行う。カーソルのガイドやドラッグを必要としないため、カーソル及びアイコン切替えの設置を省略することができる。
【００２０】
図１から図８によると、本実施形態で開示されるパラメーター設定インターフェース１０の操作をする上で、起動される装置がパソコン設備の電源に限られない場合は、まず、処理ユニットによりＢＩＯＳ３０を実行し、パラメーター設定インターフェース１０を呼び出す（S100）。パラメーター設定インターフェース１０の２次元画面１１０を、パラメーター設定システム２０の表示ユニット２１０上に表示させる（S101）。次に、３次元アイコン１２０を２次元画面１１０上に表示し（S103）、ここでは、３次元アイコン１２０のｘ軸とｚ軸との間に回路基板イメージ１２２を表示し、回路基板イメージ１２２上に複数個の電子素子イメージ１２３を表示する。ユーザーは、パラメーター設定インターフェース１０を通じて、パラメーター設定を行いたい電子装置の立体グラフィックを見ることができる。さらに、ユーザーはニーズに基づき、カーソル１４０を通して３次元アイコン１２０をドラッグしたり、アイコン切替え１５０をクリックしたりし、異なる視野から３次元アイコン１２０を見ることができる（図２と図５を参照）。これ以外に、ユーザーは選択的にカーソル１４０を３次元アイコン１２０上にスライドさせ、そのうち１つの電子素子イメージ１２３を選択し、カーソル１４０と電子素子イメージ１２３とが相互に重なり合うようにようにする。この時、選択される電子素子イメージ１２３に連結されるメッセージ提示ウインドウ１６０は、２次元画面１１０上に表示されるか、３次元アイコン１２０上に重なり合うようにされ、ユーザーはメッセージ提示ウインドウ１６０内の文字説明を通して、選択される電子素子イメージ１２３が対応するＢＩＯＳパラメーター設定対象は何であるかを、即時に知ることができる（図６と図７を参照）。
【００２１】
その後、ユーザーはカーソル１４０を通じて、そのうちの１つの電子素子イメージ１２３を選択する（S105）。例えば、この電子素子イメージ１２３を２回連続してクリックし、複数個のパラメーター設定メニュー１３０中の、電子素子イメージ１２３に対応するパラメーター設定メニュー１３０を、２次元画面１１０上に表示する（S107）。例えば、図３と図４に示すように、パラメーター設定メニュー１３０は、３次元アイコン１２０上に重ね合わせられるが、これに限定されず、パラメーター設定メニュー１３０は複数個の電子素子イメージ１２３のＢＩＯＳ３０に対応するパラメーター設定項目１３１を含む（図２と図３を参照）。この後、ユーザーはパラメーター設定メニュー１３０のパラメーター設定項目１３１と対応して、選択される電子素子イメージ１２３と連結されるＢＩＯＳ３０のパラメーター値を調整し、設定する（S109）。
【００２２】
上述に基づき、本発明のパラメーター設定システムは３次元アイコンを通してパソコンシステム中の電子装置の立体グラフィックを表示し、ユーザーが視覚感覚を通じてＢＩＯＳパラメーター値の設定対象が電子装置のうちのどの構成部材であるかをすぐに知ることができ、対応する電子素子イメージを選択することによってＢＩＯＳパラメーター値の調整と設定を行い、ユーザーに直感的なＢＩＯＳパラメーター設定の操作モードを提供する。従って、本発明のパラメーター設定システムはユーザーにかなり簡潔で便利な操作環境を提供する。
【００２３】
［第２実施形態］
次に、本発明のパラメーター設定システムの第２実施形態について説明する。
図９と図１０は、本発明にて開示する第２実施形態のパラメーター設定システムの使用状態の概略図である。本発明が開示する第２実施形態は、第１実施形態と殆ど同じである。両者の違いは、本発明の第２実施形態が開示するパラメーター設定インターフェース１０が、さらに複数個のガイドアイコン１７０及び複数個の機能メニュー１８０を含み、パラメーター設定インターフェ−ス１０の２次元画面１１０には、第１レイヤー１１１と第２レイヤー１１２を含み、３次元アイコン１２０は第１レイヤー１１１上に配置される点である。
【００２４】
複数個のガイドアイコン１７０は、２次元画面１１０の第１レイヤー１１１や第２レイヤー１１２に配置される。複数個のガイドアイコン１７０が第１レイヤー１１１に配置される設置方式が採用されるとき、２次元画面１１０の第１アイコン１１１は常態では第２レイヤー１１２上に重ね合わせられ、複数個のガイドアイコン１７０が第２レイヤー１１２に配置される設置方式が採用されるとき、２次元画面１１０の第２レイヤー１１２ははじめの状態では第１レイヤー１１１の側辺に重ね合わせられ、複数個のガイドアイコン１７０と３次元アイコン１２０を同時に２次元画面上に表示させる。本実施形態は複数個のガイドアイコン１７０を第２レイヤー１１２に配置することを例に挙げて説明をするが、これに限定されない。複数個のガイドアイコン１７０は第２レイヤー１１２上に配列され、それぞれＢＩＯＳ３０の複数個の設定項目、例えば、周波数／電圧制御（MB Intelligent Tweaker，M.I.T）パラメーター設定メニュー、システムパラメーター設定メニュー、ＢＩＯＳパラメーター設定、周辺装置パラメーター設定メニュー、電源管理パラメーター設定メニュー及び保存と退出設定メニューなどと連結され、ユーザーにグラフィック化されたユーザーシステムを提供し、ユーザーがＢＩＯＳと関連するパラメーター値の設定を行うことの便を図るために用いられる。
【００２５】
複数個の機能メニュー１８０はそれぞれＢＩＯＳ３０の複数個の設定メニューに連結され、それぞれ複数個のガイドアイコン１７０に連結され、複数個のガイドアイコン１７０のうちの１つが選択される時、選択されるガイドアイコン１７０と対応する機能メニュー１８０を２次元画面１１０の第２レイヤー１１２に選択的に配置（表示）させ、第１レイヤー１１１を遮蔽する。
【００２６】
従って、本実施形態が開示するパラメーター設定インターフェ−ス１０の操作において、ユーザーは上述の３次元アイコン１２０を通じてＢＩＯＳ関連のパラメーター値の調整と設定を行える以外にも、複数個のガイドアイコン１７０と複数個の機能メニュー１８０との配置方式を通じて、ＢＩＯＳの関連パラメーター値を調整、設定することができる。
【００２７】
図９から図１１は本実施形態のパラメーター設定の方法である。本実施形態と第１実施形態とはほぼ同じである。両者の違いは、本発明の第２実施形態においては、パラメーター設定システム２０の表示ユニット２１０上で、パラメーター設定インターフェース１０の２次元画面１１０を表示した後（S201）、２次元画面１１０の第１レイヤー１１１に３次元アイコン１２０が表示され、２次元画面１１０の第２レイヤー１１２上には複数個のガイドアイコン１７０が表示される（S203）。続いて、ユーザーは２次元画面１１０上で、そのうちの１つのガイドアイコン１７０を選択する（S205）。ガイドアイコン１７０が選択された後、２次元画面１１０の第２レイヤー１１２は、第１レイヤー１１１に対してシフトして第１レイヤー１１１を遮蔽し（図１０を参照）する。同時に、複数個の機能メニュー１８０中において、選択されるガイドアイコン１７０と対応する機能メニュー１８０とは２次元画面１１０の第２レイヤー１１２上に表示される（S207）。ここでは、機能メニュー１８０はパラメーター設定項目１８１とメッセージ提示ウインドウ１８２とを含み、ユーザーに選択設定を提供する。その後、ユーザーはこの機能メニュー１８０を通して、選択されるガイドアイコン１７０と連結されるＢＩＯＳ３０の設定メニューのパラメーター値を調整して設定する（S209）。
【００２８】
これ以外に、ガイドアイコン１７０が選択された後、２次元画面１１０の第２レイヤー１１２上にはアイコン戻り１９０が表示され、ユーザーに２次元画面１１０の第１レイヤー１１１と第２レイヤー１１２の間の切替えを行わせ、ユーザーに３次元アイコン１２０かガイドアイコン１７０を選択させ、ＢＩＯＳ関連パラメーターの調整と設定を行わせるために用いられる。或いは、パソコンシステム２０中に複数個のＢＩＯＳが配備されるとき、３次元アイコン１２０とガイドアイコン１７０はそれぞれ異なるＢＩＯＳに連結され、複数個のＢＩＯＳが異なるパラメーター値を有するようにさせる。
【００２９】
従って、ユーザーは機能メニュー１８０を通してＢＩＯＳのパラメーター値を調整して設定した後、カーソル、マウスやキーボードなどの入力装置を通して、戻しアイコン１９０を選択したり、或いは、タッチパネル上で指によって戻しアイコン１９０をクリックしたりし、２次元画面１１０の第２レイヤー１１２を第１レイヤー１１１に対してシフトし、機能メニュー１８０を隠し、２次元画面１１０を初期状態に戻す。つまり、第２レイヤー１１２は第１レイヤーの側辺に重ね合わせられ、２次元画面１１０上で２次元アイコンと複数個のガイドアイコン１７０が同時に表示される。
【００３０】
これ以外に、本実施形態では、複数個のガイドアイコン１７０はユーザーによって選択された後にも、ｘ軸、ｙ軸とｚ軸とで定義される立体図面の形式で２次元画面上に表示させることができる。例えば、図１２及び図１３に示すように、本発明の第３実施形態が開示するパラメーター設定インターフェース１０は、パソコン設備の電源管理パラメーターの設定に応用されるがこれに限定されず、電源管理パラメーターの設定操作上、ユーザーに直観的な設定システムを提供するために用いられる。
【００３１】
［第３実施形態］
次に、本発明のパラメーター設定システムの第３実施形態について説明する。
図１２から図１６が開示するパラメーター設定システム２０は、表示ユニット２１０、保存ユニット２２０、処理ユニット２３０及び電源管理チップで構成される。保存ユニット２２０は複数個の設定メニューの基本入力／出力システム（ＢＩＯＳ）３０とパラメーター設定インターフェース１０とからなり、パラメーター設定インターフェース１０は、２次元画面１１０、３次元アイコン１２０、複数個のパラメーター設定メニュー１３０とを含む。２次元画面１１０には、第１レイヤー１１１と第２レイヤー１１２とを含み、第１レイヤー１１１の状態で第２レイヤー１１２の上に重ね合わせられる。
【００３２】
３次元アイコン１２０は２次元画面１１０の第１レイヤー１１１に配置され、３次元アイコン１２０は第１オブジェクトイメージ１２４、第２オブジェクトイメージ１２５及び第３オブジェクトイメージ１２６を含み、３次元アイコン１２０は原点０で交わるｘ軸、ｙ軸とｚ軸を定義し、ここではｘ軸とｚ軸の間で第１図面１２７を定義し、ｙ軸とｚ軸の間で第２図面１２８を定義し、ｘ軸とｙ軸の間で第３図面１２９を定義する。３次元アイコン１２０の第１オブジェクトイメージ１２４は第１図面１２７に配置され、第２オブジェクトイメージ１２５は第１図面１２８に配置され、第３オブジェクトイメージ１２６は第１図面１２９に配置され、３次元アイコン１２０は立体的幾何学形態で２次元画面１１０上に表示され、例えば、円柱、角柱、角錐、六面体やその他規則的、或いは不規則的な立体多面の形態で２次元画面１１０上に表示される。
【００３３】
図１２から図１６によると、パラメーター設定インターフェ−ス１０の複数個のパラメーター設定メニュー１３０は連結されるがＢＩＯＳ３０の複数個の設定メニュー内の電源管理設定メニューの連結に限られるものではない。且つ、複数個のパラメーター設定メニュー１３０は、それぞれ３次元アイコン１２０の複数個のオブジェクトイメージにも連結される。３次元アイコン１２０の複数個のオブジェクトのうちの１つが選択されるとき、選択されるオブジェクトイメージと対応するパラメーター設定メニュー１３０を２次元画面１１０の第２レイヤー１１２に選択的に表示（配置）させると共に第１レイヤー１１１上に重ね合わせるために用いられる。ここでは、複数個のパラメーター設定メニュー１３０は３次元アイコン１２０に連結される第１オブジェクトイメージ１２４の電圧パラメーター設定メニュー１３２、３次元アイコン１２０に連結される第２オブジェクトイメージ１２５のクロックパラメーター設定メニュー１３３及び３次元アイコン１２０に連結される第３オブジェクトイメージ１２６の位相パラメーター設定メニュー１３４を含む。
【００３４】
これ以外に、パラメーター設定メニュー１３０は、さらに複数個の設定項目１３１を含む。例えば、電圧パラメーター設定メニュー１３２は、電圧反応、オーバークロック補償と過電圧保護などの設定項目１３１を含む。クロックパラメーター設定メニュー１３３は中央処理器（Central processing unit、CPU）パルス幅変調（Pulse Width Modulation、PWM）クロック、終端電圧（VTT）PWMクロック、内部モデル制御（Internal
Model Control、IMC）PWMクロック、ダブルデーターレート（Double Data Rate、DDR）（A/B）PWMクロックとDDR（C/D）PWMクロックなどの、パラメーター設定項目１３１を含む。位相パラメーター設定メニュー１３４は、CPU位相制御、過電流保護、PWM加熱保護などの、設定項目１３１を含む。上述は例として説明しているだけであり、本発明はこれに限定されない。
【００３５】
図１２から図１７によれば、操作する上で、まず処理ユニットによりＢＩＯＳ３０を実行し、且つパラメーター設定インターフェ−ス１０を呼出する（S３00）。パラメーター設定インターフェ−ス１０の２次元画面１１０を表示ユニット２１０上に表示させ（S３01）、次に、３次元アイコン１２０を２次元画面１１０上に表示させ（S303）、ユーザーがパラメーター設定メニュー１３０の立体グラフィック化インターフェ−スを通してパラメーター設定の標的を選択できるようにさせる。これ以外に、２次元画面１１０上に選択的にカーソル１４０を表示してもよく、２次元画面１１０上でスライドさせ、ユーザーがカーソル１４０を通して３次元アイコン１２０の第１オブジェクトイメージ１２４、第２オブジェクトイメージ１２５や第３オブジェクトイメージ１２６を選択したり、或いはクリックしたりできるようにさせる。理解できることは、パラメーター設定システム２０の表示ユニット２１０がタッチパネルを配備するとき、ユーザーは直接指で３次元アイコン１２０を選択したり、或いはクリックしたりすることができ、カーソル１４０を用いる必要がない。
【００３６】
次に、ユーザーはニーズに基づき、カーソル１４０によって３次元アイコン１２０の第１オブジェクトイメージ１２４、第２オブジェクトイメージ１２５や第３オブジェクトイメージ１２６を選択し（S305）、例えば、連続してこのオブジェクトイメージを２回クリックし、２次元画面１１０の第２レイヤー１１２を第１レイヤー１１１上に重ね合わせ、複数個のパラメーター設定メニュー１３０中の選択されるオブジェクトイメージに対応するパラメーター設定メニュー１３０を２次元画面１１０の第２レイヤー１１２上に表示させる（S307）。
【００３７】
例えば、図１３と図１４に示すように、ユーザーが３次元アイコン１２０上において第１オブジェクトイメージ１２４を選択した場合、パラメーター設定メニュー１３０は電圧パラメーター設定メニュー１３２を、２次元画面１１０の第２レイヤー１１２上に表示させ、３次元アイコン１２０と２次元画面１１０の第１レイヤー１１１とを遮蔽させる。ユーザーは、電圧パラメーター設定メニュー１３２上の各設定項目１３１を通して、ＢＩＯＳ３０の電源管理設定メニューにおいて、電圧と関連するパラメーター値を調整して設定する。同様に、図１３、図１５、図１６に示すように、ユーザーが３次元アイコン１２０の第２オブジェクトイメージ１２５や第３オブジェクトイメージ１２６を選択する場合、ユーザーは２次元画面１１０に表示されるクロックパラメーター設定メニュー１３３や位相パラメーター設定メニュー１３４を通して、ＢＩＯＳ３０の電源管理設定メニューにおけるクロックと位相と関連するパラメーター値を調整して、設定する。
【００３８】
従って、３次元アイコン１２０のオブジェクトイメージを選択した後、ユーザーは対応するパラメーター設定メニュー１３０を通して電源管理と関連するパラメーター値を対応して調整しして、設定する（S309）。且つ、電源管理パラメーターが設定された後、ＢＩＯＳ３０は汎用入出力（General
Purpose Input/Output：GPIO）及び電源管理チップ２４０により伝送し、設定信号を電源管理チップ２４０に伝送し、電源管理チップ２４０が設定されるパラメーター条件で実行させる。しかしながら、汎用入出力（General Purpose Input/Output：GPIO）及び電源管理チップ２４０により伝送することに限られるものではない。これ以外に、ガイドアイコン１７０が選択された後、２次元画面１１０の第２レイヤー１１２上には戻しアイコン１９０が表示され、ユーザーに２次元画面１１０の第１レイヤー１１と第２レイヤー１１２の間で切替えを行わせ、ユーザーがパラメーター設定操作を完了させた後、３次元アイコン１２０の表示状態に戻すために用いられる。
【００３９】
ちなみに、２次元画面１１０の第２レイヤー１１２が第１レイヤー１１１に重ね合わせられるとき、３次元アイコン１２０は同時に選択されるオブジェクトイメージを２次元画面１１０の第２レイヤー１１２上に表示させる。例えば、ユーザーが２次元画面１１０の第１レイヤー１１１上で、３次元アイコン１２０の第１オブジェクトイメージ１２４を選択した後、３次元アイコン１２０は回転（或いは、反転）すると共にサイズを縮小する。その後、２次元形式の第１オブジェクトイメージ１２４は、２次元画面１１０の第２レイヤー１１２上に表示される。さらに、ユーザーは２次元画面１１０の第２レイヤー１１２上のオブジェクトイメージを通して３次元アイコン１２０の表示状態の戻しを行い、戻しアイコン１９０の配置を省略することもできる。
【００４０】
これ以外に、上述の操作過程中で、３次元アイコン１２０はカーソル１４０のドラッグを受け、ｘ軸、ｙ軸や、ｚ軸を軸心として２次元画面１１０上で回転、或いは２次元画面１１０上で３６０度自由に回転する。図１３と図１８に示すように、３次元アイコン１２０を回転させる方法はパラメーター設定システム２０中に保存されるソフトウェアプログラムを利用し、３次元アイコン１２０の３次元座標値のレンダリング図に基づき、さらに、複数個のオブジェクトイメージのそれぞれの図をｘ（ｎ）、ｙ（ｎ）とｚ（ｎ）というファイル名でパラメーター設定システム２０の保存ユニット２０内に保存する。同時に、ＢＩＯＳ３０とパラメーター設定システム２０内に保存されるプログラム集（例えば、３Ｄソフトウェアプログラム集）中にカーソル１４０指令集をインストールし、カーソル１４０移動時に、ＢＩＯＳ３０とプログラム集が対応して呼び出す関連したｘ−ｙ座標のイメージを定義する。例えば、カーソル１４０が左に１ピクセル（pixel）移動するとき、プログラム集はファイル名が（ｘ−１、ｙ０、ｚ０）のイメージファイルを呼び出し、カーソル１４０が右と下にそれぞれ２ピクセル移動するとき、プログラム集はファイル名が（ｘ２、ｙ−２，ｚ０）のイメージを呼び出す。これ以外に、ｚ軸に対応する入力装置の操作方法を設定できる。例えば、マウスのロール回転と対応してｚ軸のピクセル変換と関連のあるイメージを呼び出す。従って、ソフトウェアプログラムを利用してレンダリングされる、異なる座標のイメージをデーターベースとして作成し、カーソル１４０の座標を定義し、データーベース中のイメージを呼び出し、３次元アイコン１２０が３Ｄの回転効果を表現できるようにする。
【００４１】
上述に基づき、本発明の効果は、パラメーター設定インターフェースは２次元画面上に表現される立体イメージである３次元アイコンを通して、ユーザーに立体化され、直観的なマンマシンインターフェースを提供し、ユーザーが視覚感覚を通してすぐにパラメーター設定対象を選択でき、パラメーター設定の操作時間を節約でき、同時に３次元アイコンを通して周知の文字操作インターフェースを立体グラフィックに変換し、ユーザーによりフレンドリーで簡潔な操作環境を提供し、パソコンシステムの初心者がパラメーター設定を習うときの阻害を減少させることにある。
【００４２】
以上、本発明の実施形態について図面を参照して詳述したが、具体的な構成はこの実施形態に限られるものではなく、本発明の要旨を逸脱しない範囲の設計変更等も含まれる。
【符号の説明】
【００４３】
１０  …  パラメーター設定インターフェ−ス
１１０  …  ２次元画面
１１１  …  第１レイヤー
１１２  …  第２レイヤー
１２０  …  ３次元アイコン
１２１  …  オブジェクトイメージ
１２２  …  回路基板イメージ
１２３  …  電子素子イメージ
１２４  …  第１オブジェクトイメージ 
１２５  …  第２オブジェクトイメージ
１２６  …  第３オブジェクトイメージ
１２７  …  第１図面
１２８  …  第２図面
１２９  …  第３図面
１３０  …  パラメーター設定メニュー
１３１  …  パラメーター設定項目
１３２  …  電圧パラメーター設定メニュー
１３３  …  クロックパラメーター設定メニュー
１３４  …  位相パラメーター設定メニュー
１４０  …  カーソル
１５０  …  アイコン切替え
１６０  …  メッセージ提示ウインドウ
１７０  …  ガイドアイコン
１８０  …  機能メニュー
１８１  …  パラメーター設定項目
１８２  …  メッセージ提示ウインドウ
１９０  …  アイコン戻り
２０  …  パラメーター設定システム
２１０  …  表示ユニット
２２０  …  保存ユニット
２３０  …  処理ユニット
２４０  …  電源管理チップ
２５０  …  汎用入力/出力
３０  …  基本入力／出力システム
【図１】
0005606500.tif 000002
【図２】
0005606500.tif 000003
【図３】
0005606500.tif 000004
【図４】
0005606500.tif 000005
【図５】
0005606500.tif 000006
【図６】
0005606500.tif 000007
【図７】
0005606500.tif 000008
【図８】
0005606500.tif 000009
【図９】
0005606500.tif 000010
【図１０】
0005606500.tif 000011
【図１１】
0005606500.tif 000012
【図１２】
0005606500.tif 000013
【図１３】
0005606500.tif 000014
【図１４】
0005606500.tif 000015
【図１５】
0005606500.tif 000016
【図１６】
0005606500.tif 000017
【図１７】
0005606500.tif 000018
【図１８】
0005606500.tif 000019